(57)【特許請求の範囲】
【請求項１】
プラントの異常を診断する異常診断装置であって、
前記プラントの運転の条件値及び当該条件値に対してプラントで計測された計測値をプラントの運転状態を表す変数として含むレコードを蓄積データとして記憶する蓄積データ記憶部から、前記変数が所定の抽出条件を満たすレコードを抽出して成るグループが記憶されたグループデータ記憶部と、
所定のタイミングで、前記グループデータ記憶部から異なる複数の変数の値で構成される複数のグループに関するグループデータを読み出し、各グループについて、読み出したグループデータに含まれる変数の値と、当該変数に対応する前記プラントから入力した当該プラントの状態を表す複数の変数の値とを利用してマハラノビス距離を算出する算出部と、
各グループについて、前記算出部で算出されたマハラノビス距離と、グループ毎に予め設定される異常の判定に利用する判定値とを比較して異常を診断する診断部と、
前記診断部における全てのグループについての診断結果を統合し、異常の原因を特定する特定部と、を備え、
前記特定部は、マハラノビス距離が増加しているグループに属するプラントの該当箇所を異常の原因と特定することを特徴とする異常診断装置。
【請求項２】
プラントの異常を診断する異常診断装置であって、
前記プラントの運転の条件値及び当該条件値に対してプラントで計測された計測値をプラントの運転状態を表す変数として含むレコードを蓄積データとして記憶する蓄積データ記憶部から、前記変数が所定の抽出条件を満たすレコードを抽出して成るグループが記憶されたグループデータ記憶部と、
所定のタイミングで、前記グループデータ記憶部から異なる複数の変数の値で構成される複数のグループに関するグループデータを読み出し、各グループについて、読み出したグループデータに含まれる変数の値と、当該変数に対応する前記プラントから入力した当該プラントの状態を表す複数の変数の値とを利用してマハラノビス距離を算出する算出部と、
各グループについて、前記算出部で算出されたマハラノビス距離と、グループ毎に予め設定される異常の判定に利用する判定値とを比較して異常を診断する診断部と、
前記診断部における全てのグループについての診断結果を統合し、異常の原因を特定する特定部と、を備え、
前記特定部は、前記診断部の診断結果と、記憶装置に記憶された各グループにおけるマハラノビス距離の変化の履歴と、に基づいて異常の原因を特定することを特徴とする異常診断装置。
【請求項３】
所定のタイミングで、異常と特定されたグループの判定値を変更する変更部をさらに備えることを特徴とする請求項１又は２記載の異常診断装置。
【発明の詳細な説明】
【技術分野】
【０００１】
本発明はプラントの異常を診断する異常診断装置に関する。
【背景技術】
【０００２】
プラントは、複数の機器が様々な条件で運転されている。また、プラントでは、複数のセンサを利用して状態が計測されている。プラントの異常は、この複数の条件値や、複数のセンサの計測値から検出することができるが、例えば、各センサの計測値が各センサの計測値毎に定められる上下限値（閾値）を超えたときに異常と判断する方法が主流である。一方、各センサの計測値毎に上下限値を設定する場合、使用するセンサを増やすと上下限値の数も増やす必要があり、異常判定用の値の管理が複雑になる問題があった。
【０００３】
これに対し、近年、ＭＴ法（マハラノビス・タグチメソッド）というパターン認識技術を用いて異常を診断する技術もある。ＭＴ法は、「いつもと同じ」状態であるかどうかを診断するものであり、予め設定したいつもと同じ状態を表すマハラノビス空間の中心を基準として、求めた診断対象のマハラノビス距離がこのマハラノビス空間より遠くなるときに異常と判断する方法である。具体的には、センサの計測データを複数のグループに分け、それぞれのグループ毎に単位空間を生成し、ＭＴ法を利用して異常を診断するものがある（例えば、特許文献１参照）。
【０００４】
一方、ＭＴ法を利用する場合、異常の判定に利用する判定値（閾値）は、どのような単位空間に対しても、どのような状態に対しても一般的には４程度といわれている。しかしながら、実際に求められるマハラノビス距離は、対象の単位空間によって値が大きく異なり、一桁〜数桁まで幅広い。したがって、最適な閾値を使用しないで判定した場合、高精度な異常の診断が困難であった。
【先行技術文献】
【特許文献】
【０００５】
【特許文献１】特開２０１０−１８１１８８号公報
【発明の概要】
【発明が解決しようとする課題】
【０００６】
上述したように、従来の異常診断では、高精度で異常診断することは困難であった。
【０００７】
上記課題に鑑み、高精度で異常診断する異常診断装置を提供することを目的としている。
【課題を解決するための手段】
【０００８】
上記目的を達成するために、本発明は、プラントの異常を診断する異常診断装置であって、前記プラントの運転の条件値及び当該条件値に対してプラントで計測された計測値をプラントの運転状態を表す変数として含むレコードを蓄積データとして記憶する蓄積データ記憶部から、前記変数が所定の抽出条件を満たすレコードを抽出して成るグループが記憶されたグループデータ記憶部と、所定のタイミングで、前記グループデータ記憶部から異なる複数の変数の値で構成される複数のグループに関するグループデータを読み出し、各グループについて、読み出したグループデータに含まれる変数の値と、当該変数に対応する前記プラントから入力した当該プラントの状態を表す複数の変数の値とを利用してマハラノビス距離を算出する算出部と、各グループについて、前記算出部で算出されたマハラノビス距離と、グループ毎に予め設定される異常の判定に利用する判定値とを比較して異常を診断する診断部と、前記診断部における全てのグループについての診断結果を統合し、異常の原因を特定する特定部と、を備え、前記特定部は、マハラノビス距離が増加しているグループに属するプラントの該当箇所を異常の原因と特定することを特徴とする。
【０００９】
また、他の発明は、プラントの異常を診断する異常診断装置であって、前記プラントの運転の条件値及び当該条件値に対してプラントで計測された計測値をプラントの運転状態を表す変数として含むレコードを蓄積データとして記憶する蓄積データ記憶部から、前記変数が所定の抽出条件を満たすレコードを抽出して成るグループが記憶されたグループデータ記憶部と、所定のタイミングで、前記グループデータ記憶部から異なる複数の変数の値で構成される複数のグループに関するグループデータを読み出し、各グループについて、読み出したグループデータに含まれる変数の値と、当該変数に対応する前記プラントから入力した当該プラントの状態を表す複数の変数の値とを利用してマハラノビス距離を算出する算出部と、各グループについて、前記算出部で算出されたマハラノビス距離と、グループ毎に予め設定される異常の判定に利用する判定値とを比較して異常を診断する診断部と、前記診断部における全てのグループについての診断結果を統合し、異常の原因を特定する特定部と、を備え、前記特定部は、前記診断部の診断結果と、記憶装置に記憶された各グループにおけるマハラノビス距離の変化の履歴と、に基づいて異常の原因を特定することを特徴とする。
【発明の効果】
【００１０】
本発明によれば、プラントの異常診断の精度を向上することができる。
【図面の簡単な説明】
【００１１】
【図１】実施形態に係る異常診断装置を説明するブロック図である。
【図２】異常診断装置で利用する蓄積データの一例を説明するデータ構成図である。
【図３】異常診断装置で利用するグループデータの一例を説明するデータ構成図である。
【図４】異常診断装置における処理の一例を説明するフローチャートである。
【図５】ＭＴ法を利用した異常診断について説明する概念図である。
【発明を実施するための形態】
【００１２】
実施形態に係る異常診断装置は、プラントの運転の異常を診断する異常診断装置である。例えば、異常診断装置が診断するプラントは、発電プラントである。発電プラントは、複数の機器（ポンプ、バルブ等）を備えており、これらの機器を制御する値が目標値として設定されている。この目標値は、例えば、ポンプの圧力、バルブの開閉等である。また、発電プラントでは、複数のセンサを備えており、各センサで吸気量、排気量、発電量等が計測されている。
【００１３】
さらに、発電プラントでは、様々な運転状態が設定可能であって、運転状態によって各機器に設定する目標値、各センサで計測される計測値が異なる。例えば、発電プラントでは、常に一定量の電力を発電する必要はなく、電力需要に合わせて発電する。したがって、時間帯、曜日、季節等に合わせて運転状態を変えることができ、運転状態で各機器の目標値が異なる。また、各機器の目標値が異なることにより、運転状態で各センサの計測値も異なる。
【００１４】
図１に示すように、実施形態に係る異常診断装置１は、プラントから入力した新たな変数で蓄積データ２１を更新する更新部１１と、異常の診断に利用するグループを生成し、各グループに診断で利用する判定値を設定してグループデータ２２として記憶させる生成部１２と、プラントから新たに入力する変数とグループデータ２２の変数を利用して複数のグループについてマハラノビス距離を算出する算出部１３と、算出部１３が算出したマハラノビス距離を利用してグループ毎に異常を診断する診断部１４と、診断部１４で得られた各グループに関する診断結果を利用して特定データ２３から異常の原因を特定する特定部１５と、グループデータ２２の判定値を変更する変更部１６とを備えている。
【００１５】
異常診断装置１は、例えば、中央処理装置（ＣＰＵ）１０や記憶装置２０を備える情報処理装置であって、記憶装置２０に記憶される異常診断プログラムＰが読み出されて実行されることで、図１に示すように、ＣＰＵ１０に更新部１１、生成部１２、算出部１３、診断部１４、特定部１５及び変更部１６が実装される。記憶装置２０では、異常診断プログラムＰの他、蓄積データ２１、グループデータ２２及び特定データ２３を記憶している。また、異常診断装置１は、操作を入力するキーボード、マウス、操作ボタン、タッチパネル等の入力装置２と接続されており、異常診断の処理過程や結果を出力するディスプレイ、スピーカ等の出力装置３と接続されている。
【００１６】
更新部１１は、プラントから新たに各変数の値を入力すると、入力した各変数の値を含む新たなレコードを生成し、生成したレコードを追加して記憶装置２０に記憶される蓄積データ２１を更新する。
【００１７】
蓄積データ２１は、過去のプラントの状態を表す変数のレコードを蓄積したデータである。蓄積データ２１の変数は、プラントの運転の条件値及び当該条件値の場合にプラントで計測された計測値である。図２に示す一例では、蓄積データ２１は、プラントの運転の条件値であるプラントの各機器に設定する目標値（変数１、２）と、このモード及び目標値の場合に計測された計測値（変数４、５）等を関連づけたレコードを有している。また、図２に示す蓄積データ２１の一例では、各レコードに時刻等のサンプル番号を付している。
【００１８】
生成部１２は、グループを生成する所定のタイミングで、記憶装置２０から蓄積データ２１を読み出し、変数が所定の抽出条件を満たすレコードを抽出して複数のグループを生成する。この抽出条件は、例えば、入力装置２を介して入力される。例えば、変数１や変数２（目標値）の値、変数４や変数５（計測値）の値のいずれか一つを抽出条件としても良いし、複数の変数の値の組み合わせを抽出条件としても良い。生成部１２は、生成した複数のグループにプラントの異常診断に利用する判定値を設定し、グループの各変数の値と判定値とを含むグループデータ２２を生成して記憶装置２０に記憶する。
【００１９】
すなわち、グループデータ２２は、図３（ａ）や図３（ｂ）に示すように、蓄積データ２１の選択されたレコードのみを有するデータである。なお、図１の一例では、記憶装置２０には１つのグループデータ２２を記憶するものとして示しているが、記憶装置２０では、複数のグループデータ２２、すなわち、各グループについてのグループデータ２２を記憶するものとする。
【００２０】
ここで、生成部１２がグループを生成する所定のタイミングは、例えば、定期的なタイミングや、入力装置２を介して入力されるタイミングである。また、生成部１２で判定値とする値は、このグループについて求められるマハラノビス空間を表す値である。この判定値は、例えば、入力装置２を介して入力される。
【００２１】
算出部１３は、異常を診断する所定のタイミングで、記憶装置２０から各グループのグループデータ２２を読み出し、読み出したグループデータ２２が有する各変数の値を抽出する。また、算出部１３は、グループデータ２２から抽出した各変数の値とプラントから入力した新たな変数とを利用して、各グループのマハラノビス距離を求め、求めた値を診断部１４に出力する。ここで、異常を診断する所定のタイミングとは、例えば、定期的なタイミングである。
【００２２】
具体的には、（１）まず、算出部１３は、各変数に対して平均値と標準偏差を求める。（２）その後、算出部１３は、各変数の値と、各変数に対して求めた平均値及び標準偏差を利用してデータを基準化し、各変数に対する基準化値を求める。（３）続いて、算出部１３は、各変数に対して求めた基準化値を利用して、各変数についての相関行列を求めるとともに、相関行列の逆行列を求める。（４）最後に、算出部１３は、求めた逆行列を利用してマハラノビス距離を求める。このようにして求められたマハラノビス距離により、対象のグループの値について現在の状態といつもの状態との違いを特定することができ、プラントにおける現在の状態といつもの状態との違いを求めることができる。
【００２３】
診断部１４は、算出部１３から各グループのマハラノビス距離を入力すると、各グループのグループデータ２２を読み出し、読み出したグループデータ２２が有する判定値を抽出する。また、診断部１４は、グループ毎に、算出部１３から入力したマハラノビス距離を、グループデータ２２から抽出した判定値と比較し、プラントの運転状態が正常であるか異常であるかを判定し、各グループのマハラノビス距離とともに診断結果として特定部１５及び出力装置３に出力する。例えば、診断部１４から診断結果を入力する出力装置３は、診断部１４による診断結果を出力して異常の発生をユーザ等に通知することができる。
【００２４】
例えば、図５に示すように、ＭＴ法を利用して異常を判定する場合、算出部１３で求めたマハラノビス距離が設定された判定値より小さいとき、すなわちマハラノビス空間内にあるとき、診断部１４は、現在のプラントの状態はいつもの状態と同じであるとし、プラントは正常に運転していると診断する。一方、算出部１３で求めたマハラノビス距離が設定された判定値より大きいとき、すなわち、マハラノビス空間から外れているとき、診断部１４は、現在のプラントの状態がいつもの状態とは異なる状態であるとし、プラントで異常が発生していると診断する。
【００２５】
特定部１５は、診断部１４から診断結果を入力すると、特定データ２３を読み出し、診断部１４の各グループに関する診断結果を利用して、異常の原因を特定し、特定した異常の原因を変更部１６及び出力装置３に出力する。例えば、特定部１５から異常の原因を入力する出力装置３は、特定部１５によって特定された異常の原因を出力して異常の原因を通知する。
【００２６】
特定データ２３は、各グループの診断結果と、異常原因のパターンとが関連づけられるデータである。ここで、例えば、特定データ２３では、各グループのマハラノビス距離の変化パターンと異常原因とを関連付けていてもよい。すなわち、あるグループに関するマハラノビス距離が増加しているときには、プラントの所定箇所が異常原因であると特定することもできる。このようにマハラノビス距離の変化パターンから異常の原因を特定する場合、異常診断装置１では、記憶装置２０等にマハラノビス距離の変化の履歴を記憶しておき、特定部１５は、新たに入力する診断結果に加え、記憶される所定期間のマハラノビス距離の履歴を利用して異常の原因を特定する。
【００２７】
変更部１６は、異常診断に利用する判定値を更新するタイミングで、新たな判定値を求めて、グループデータ２２の判定値を変更する。異常診断に利用する判定値を更新するタイミングとは、例えば、特定部１５で異常の原因が特定されたタイミングである。または、変更部１６は、定期的なタイミングで判定値を更新してもよい。
【００２８】
例えば、変更部１６は、過去の各状態でのマハラノビス距離の平均値を解析した統計値から対象のグループについての新たな判定値を求める。具体的には、正常時のマハラノビス距離の平均値と、異常時のマハラノビス距離の平均値とを比較することで、異常の判定に利用する判定値を求めることができる。
【００２９】
なお、異常診断装置１は、複数の情報処理装置から構成されていてもよく、例えば、更新部１１のみ他の処理部１２〜１６とは異なる情報処理装置に含まれていてもよい。また、記憶装置２０に記憶されるデータの一部のみ外部の記憶装置に記憶されていてもよい。
【００３０】
続いて、図４に示すフローチャートを用いて、異常診断装置１において最適なグループで異常を診断する処理について説明する。
【００３１】
生成部１２が、グループデータ２２を生成するタイミングで、記憶装置２０から蓄積データ２１を読み出して抽出条件を満たすレコードの値を抽出し、グループデータ２２を生成して記憶装置２０に記憶させる（Ｓ１）。
【００３２】
その後、算出部１３は、各グループについてそれぞれ、記憶装置２０からグループデータ２２を読み出し、プラントから入力した変数の値とグループデータ２２に含まれる変数の値を利用して、マハラノビス距離を算出する（Ｓ２）。
【００３３】
算出部１３から複数のグループのマハラノビス距離を入力した診断部１４は、各グループについて、入力したマハラノビス距離をグループデータ２２において設定されている判定値と比較し、プラントの運転状態が異常であるか診断し、診断結果を出力装置３及び特定部１５に出力する（Ｓ３）。
【００３４】
特定部１５は、各グループの診断結果を統合して、異常があるとき、特定データを利用して異常箇所を特定する（Ｓ４）。
【００３５】
異常診断装置１では、判定値の変更のタイミングでない場合（Ｓ５でＮＯ）、ステップＳ２乃至Ｓ４の処理を繰り返す。また、異常診断装置１では、判定値の変更のタイミングになると（Ｓ５でＹＥＳ）、変更部１６で判定値を変更した後（Ｓ６）、ステップＳ２乃至Ｓ４の処理を繰り返す。
【００３６】
なお、図４に示すフローチャートでは、グループデータ２２の生成を繰り返すことについては示していないが、グループデータ２２も、例えば定期的等の所定のタイミングで繰り返して生成しても良い。
【００３７】
上述したように、本発明に係る異常診断装置では、グループ毎に設定した診断基準（判定値）でそれぞれ異常を診断したうえで、複数のグループの診断結果を統合してプラントの状態を診断するため、最適な判断基準により、高精度で異常診断することができる。また、異常診断装置では、異常診断をしながら変更した判断基準（判定値）を利用してプラントの異常を診断するため、高精度で異常診断することができる。
【００３８】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。
【符号の説明】
【００３９】
１…異常診断装置
１０…ＣＰＵ
１１…更新部
１２…生成部
１３…算出部
１４…診断部
１５…特定部
１６…変更部
２０…記憶装置
２１…蓄積データ
２２…グループデータ
２３…特定データ
Ｐ…異常診断プログラム
２…入力装置
３…出力装置
【図１】
0005824959.tif 000002
【図２】
0005824959.tif 000003
【図３】
0005824959.tif 000004
【図４】
0005824959.tif 000005
【図５】
0005824959.tif 000006